(57)【要約】【課題】　運転中に呼を発信又は受信する場合、使用者がほとんど手を使用せずに通話が可能なハンズフリー機能を具備した移動通信端末機及びその制御方法を提供しようとする。【解決手段】　移動通信端末機の動作命令を入力するキー入力手段と、使用者の音声メッセージを入力するためのマイクロホン１４０と、移動通信端末機の動作状態をディスプレイするディスプレイ部１３０と、ハンズフリーモードで通話相手の音声を外部に出力するスピーカホン１６０と、使用者の音声メッセージによって通話対象者の名前又は電話番号を検索して前記スピーカホン１６０を通して音声案内をし、秘密通話の設定時、前記スピーカホン１６０への通話路をイヤホンに転換する制御手段と、を含んでハンズフリー機能を具備した移動通信端末機を構成する。【選択図】　図１
2004147322.tif 000002
【特許請求の範囲】
【請求項１】
　移動通信端末機の動作命令を入力するキー入力手段と、
　使用者の音声メッセージを入力するためのマイクロホンと、
　移動通信端末機の動作状態をディスプレイするディスプレイ部と、
　ハンズフリーモードで通話相手の音声を外部に出力するスピーカホンと、
　使用者の音声メッセージによって通話モードを設定し、使用者の音声メッセージによって通話対象者の名前又は電話番号を検索して前記スピーカホンにより音声案内をし、秘密通話の設定時、前記スピーカホンへの通話路をイヤホンに転換する制御手段と、を含んで構成されることを特徴とするハンズフリー機能を具備した移動通信端末機。
【請求項２】
　前記制御手段は、
　任意の相手から通話要請メッセージが受信された時、発信者の情報を既内蔵された電話番号帳から検索し、その検索結果を音声で出力する音声お知らせ機能と、
　使用者が音声で入力した通話対象者の情報を既内蔵された電話番号帳から検索し、その検索結果を音声で出力する音声ダイヤルリング機能と、
　通話連結及び通話終了などの通話関連機能の音声命令を認識する音声命令機能と、から構成されることを特徴とする請求項１記載のハンズフリー機能を具備した移動通信端末機。
【請求項３】
　前記制御手段は、
　キー入力手段の特定のキー操作によりハンズフリー機能又は秘密通話機能を設定／解除することを特徴とする請求項１記載のハンズフリー機能を具備した移動通信端末機。
【請求項４】
　前記制御手段は、
　使用者音声命令により秘密通話機能を設定／解除することを特徴とする請求項１記載のハンズフリー機能を具備した移動通信端末機。
【請求項５】
　移動通信端末機のハンズフリー機能を設定する過程と、
　発信通話命令又は通話要請メッセージが受信されるかを確認する過程と、
　使用者が音声で入力した通話対象者情報又は任意の相手の情報を既内蔵された電話番号帳から検索する過程と、
　検索された通話対象者情報又は発信者情報を音声案内した後、通話を連結する過程と、を行うことを特徴とするハンズフリー機能を具備した移動通信端末機の制御方法。
【請求項６】
　前記通話対象者情報及び発信者情報は、
　通話対象者と発信者の名前又は電話番号であることを特徴とする請求項５記載のハンズフリー機能を具備した移動通信端末機の制御方法。
【請求項７】
　前記ハンズフリー機能を設定する過程は、
　スピーカホンへの通話路をイヤホンに転換させるための秘密通話機能を設定する過程を更に行うことを特徴とする請求項５記載のハンズフリー機能を具備した移動通信端末機の制御方法。
【請求項８】
　前記秘密通話機能は、
　使用者が特定のキー又は音声命令で設定することを特徴とする請求項７記載のハンズフリー機能を具備した移動通信端末機の制御方法。　
【請求項９】
　移動通信端末機のハンズフリー機能が設定される過程と、
　通話路をスピーカホンに転換して発信通話のための使用者の音声命令があるかを確認する過程と、
　使用者の音声命令が入力されると、入力された通話対象者情報を検索して音声を案内する過程と、
　前記通話対象者の電話番号で通話連結して、相手の音声をスピーカホンを通して出力する過程と、を行うことを特徴とするハンズフリー機能を具備した移動通信端末機の制御方法。
【請求項１０】
　前記ハンズフリー機能が設定される過程は、
　スピーカホンへの通話路をイヤホンに転換させるための秘密通話機能を設定する過程を更に行うことを特徴とする請求項９記載のハンズフリー機能を具備した移動通信端末機の制御方法。
【請求項１１】
　前記音声案内する過程は、
　発信通話に対する音声命令が確認されると、通話対象者情報の音声入力を待機する過程と、
　前記通話対象者の情報が音声で入力されると、内蔵された電話番号帳を検索する過程と、
　前記通話対象者の情報が検索されると、その検索結果を音声案内した後、検索結果が正しい情報であるかを確認する過程と、
　前記検索結果が正しい情報であるという使用者の音声入力があると、該当の電話番号で通話連結を行う過程と、を行うことを特徴とする請求項９記載のハンズフリー機能を具備した移動通信端末機の制御方法。
【請求項１２】
　前記通話対象者情報は、
　通話対象者の名前であることを特徴とする請求項１１記載のハンズフリー機能を具備した移動通信端末機の制御方法。
【請求項１３】
　前記通話対象者の情報が検索されないと、通話対象者の電話番号の入力を要求する過程を更に行うことを特徴とする請求項１１記載のハンズフリー機能を具備した移動通信端末機の制御方法。
【請求項１４】
　前記検索結果が正しい情報でないという使用者の音声入力があると、通話対象者情報の音声入力を待機する過程に復帰する過程を更に行うことを特徴とする請求項１１記載のハンズフリー機能を具備した移動通信端末機の制御方法。
【請求項１５】
　前記検索結果が正しい情報であるかを確認する過程は、
　複数の通話対象者が検索されると、該当の情報を順次音声案内して正しい情報を確認することを特徴とする請求項１１記載のハンズフリー機能を具備した移動通信端末機の制御方法。
【請求項１６】
　前記検索結果が正しい情報であるかを確認する過程は、
　複数の通話対象者が検索されると、他の識別情報を要求する過程と、
　通話対象者の識別情報の音声が入力されると、前記検索結果で該当の識別情報を再び検索する過程と、を行うことを特徴とする請求項１１記載のハンズフリー機能を具備した移動通信端末機の制御方法。
【請求項１７】
　前記通話連結を行う過程は、
　前記正しい情報であると確認された通話対象者の電話番号が複数であるかを確認する過程と、
　それら複数の電話番号が検索されると、各電話番号を順次音声案内して正しい情報を確認する過程と、
　該確認された電話番号で通話連結を試みる過程と、を行うことを特徴とする請求項１１記載のハンズフリー機能を具備した移動通信端末機の制御方法。
【請求項１８】
　移動通信端末機のハンズフリー機能が設定される過程と、
　通話路をスピーカホンに転換して任意の相手から通話要請メッセージが受信されるかを確認する過程と、
　前記通話要請メッセージが受信されると、発信者の情報を検索して音声を案内することで通話許容可否を確認する過程と、
　通話を許容するための使用者音声命令が入力されると、前記発信者と通話を連結して発信者の音声をスピーカホンに出力する過程と、を行うことを特徴とするハンズフリー機能を具備した移動通信端末機の制御方法。
【請求項１９】
　前記発信者情報は、
　電話番号であることを特徴とする請求項１８記載のハンズフリー機能を具備した移動通信端末機の制御方法。
【請求項２０】
　前記ハンズフリー機能が設定される過程は、
　スピーカホンへの通話路をイヤホンに転換させるための秘密通話機能を設定する過程を更に行うことを特徴とする請求項１８記載のハンズフリー機能を具備した移動通信端末機の制御方法。
【請求項２１】
　前記通話許容可否を確認する過程は、
　通話要請メッセージが確認されると、発信者の情報を獲得する過程と、
　該獲得された発信者情報が内蔵された電話番号帳に登録されているかを検索する過程と、
　発信者情報が検索されると、その検索結果を音声案内した後、通話許容可否を確認する過程と、
　前記通話許容に対する音声命令が確認されると通話の連結を行い、通話拒否に対する音声命令が確認されると通話連結を終了する過程と、を行うことを特徴とする請求項１８記載のハンズフリー機能を具備した移動通信端末機の制御方法。
【請求項２２】
　前記通話許容可否を確認する過程は、
　発信者情報が検索されると、発信者の名前を音声で案内して通話許容可否を確認する過程と、
　前記発信者情報が検索されないと、その発信者の電話番号を音声で案内して通話許容可否を確認する過程と、を行うことを特徴とする請求項２１記載のハンズフリー機能を具備した移動通信端末機の制御方法。
【発明の詳細な説明】
【技術分野】
【０００１】
　本発明は、移動通信端末機に係るもので、詳しくは、使用者の音声命令により発信又は受信通話が可能なハンズフリー機能を具備した移動通信端末機及びその制御方法に関するものである。
【背景技術】
【０００２】
　一般に、セルラーホン、ＰＣＳなどの移動通信端末機は、有線電話機と異なって、無線信号を送受信するための通信機器をいい、最近、使用者の携帯に便利な小型化及び軽量化が行われているため、いつどこでも電話をかけたり受けることができる。
【０００３】
　然し、使用者が車両などを運行中に前記移動通信端末機を使用すると、注意力が低下して不意の事故を起こす憂いがあるため、最近は、法的に運転中に移動通信端末機を直接使用することを規制している。即ち、移動通信端末機の使用者が運転中に通話を受信する場合、手で移動通信端末機のボタンを押すか、ホルダーを開かなければならないため、発信を行う場合、手及び視線が一緒に移動通信端末機に向かうことで使用者の注意力が低下する。
【０００４】
　このような移動通信端末機の直接的な使用規制を参酌反映して、使用者が移動通信端末機を直接手で持たなくても、所定空間内で通話したりバッテリーを充電し得るハンズフリー機能が開発された。
【０００５】
　前記ハンズフリー機能の据え置き台は、移動通信端末機にマイクロホン及びスピーカホンを装着させるが、マイクロホンは使用者から近い位置に装着し、スピーカホンは使用者が容易に聞き取れる位置に装着することで構成されている。
【発明の開示】
【発明が解決しようとする課題】
【０００６】
　然るに、このような従来ハンズフリー機能を具備した移動通信端末機においては、ハンズフリー機能を別途に装着する場合、マイクロホン及びスピーカホンを装着したり、又は、車両などで使用するバッテリー電源を連結するために、室内構造物や装飾物などを変形した後、有線で装着することで、煩雑であるという不都合な点があった。
【０００７】
　又、ハンズフリーを別途に装着する場合、使用者にハンズフリーの設置による経済的な負担があるという不都合な点があった。
【０００８】
　本発明は、このような従来の課題に鑑みてなされたもので、運転中に呼を発信又は受信する場合、使用者がほとんど手を使用せずに通話が可能なハンズフリー機能を具備した移動通信端末機及びその制御方法を提供することを目的とする。
【課題を解決するための手段】
【０００９】
　このような目的を達成するため、本発明に係るハンズフリー機能を具備した移動通信端末機は、移動通信端末機の動作命令を入力するキー入力手段と、使用者の音声メッセージを入力するためのマイクロホンと、移動通信端末機の動作状態をディスプレイするディスプレイ部と、ハンズフリーモードで通話相手の音声を外部に出力するスピーカホンと、使用者の音声メッセージによって通話モードを設定し、使用者の音声メッセージによって通話対象者の名前又は電話番号を検索して前記スピーカホンを通して音声を案内し、秘密通話の設定時、前記スピーカホンへの通話路をイヤホンに転換する制御手段と、を含んで構成されることを特徴とする。
【００１０】
　又、本発明に係るハンズフリー機能を具備した移動通信端末機の制御方法は、移動通信端末機のハンズフリー機能を設定する過程と、発信通話命令又は呼び出しが受信されるかを確認する過程と、使用者が音声で入力した通話対象者情報又は呼び出し相手（発信者）の情報を、該情報が内蔵された電話番号帳から検索する過程と、検索された通話対象者情報又は呼び出し相手の情報を音声案内した後、通話を連結する過程と、を行うことを特徴とする。
【００１１】
　又、本発明に係るハンズフリー機能を具備した移動通信端末機の制御方法は、移動通信端末機のハンズフリー機能が設定される過程と、通話路をスピーカホンに転換して発信通話のための使用者音声命令があるかを確認する過程と、使用者音声命令が入力されると、入力された通話対象者情報を検索して音声を案内する過程と、前記通話対象者の電話番号で通話連結して相手の音声をスピーカホンを通して出力する過程と、を行うことを特徴とする。
【００１２】
　又、本発明に係るハンズフリー機能を具備した移動通信端末機の制御方法は、移動通信端末機のハンズフリー機能が設定される過程と、通話路をスピーカホンに転換して任意の相手から呼び出しが受信されるかを確認する過程と、前記呼び出しが受信されると、相手の情報を獲得して音声を案内することで通話許容の可否を確認する過程と、通話許容のための使用者音声命令が入力されると、前記相手と通話連結して相手の音声をスピーカホンに出力する過程と、を行うことを特徴とする。
【００１３】
　本発明によるハンズフリー機能を具備した移動通信端末機は、移動通信端末機の動作命令を入力するキー入力手段と、使用者の音声メッセージを入力するためのマイクロホンと、移動通信端末機の動作状態をディスプレイするディスプレイ部と、ハンズフリーモードで通話相手の音声を外部に出力するスピーカホンと、使用者の音声メッセージによって通話モードを設定し、使用者の音声メッセージによって通話対象者の名前又は電話番号を検索して前記スピーカホンにより音声案内をし、秘密通話の設定時、前記スピーカホンへの通話路をイヤホンに転換する制御手段と、を含んで構成されることを特徴とし、これにより上記目的を達成する。
【００１４】
　前記制御手段は、任意の相手から通話要請メッセージが受信された時、発信者の情報を既内蔵された電話番号帳から検索し、その検索結果を音声で出力する音声お知らせ機能と、使用者が音声で入力した通話対象者の情報を既内蔵された電話番号帳から検索し、その検索結果を音声で出力する音声ダイヤルリング機能と、通話連結及び通話終了などの通話関連機能の音声命令を認識する音声命令機能と、から構成されることを特徴としてもよい。
【００１５】
　前記制御手段は、キー入力手段の特定のキー操作によりハンズフリー機能又は秘密通話機能を設定／解除することを特徴としてもよい。
【００１６】
　前記制御手段は、使用者音声命令により秘密通話機能を設定／解除することを特徴としてもよい。
【００１７】
　本発明によるハンズフリー機能を具備した移動通信端末機の制御方法は、移動通信端末機のハンズフリー機能を設定する過程と、発信通話命令又は通話要請メッセージが受信されるかを確認する過程と、使用者が音声で入力した通話対象者情報又は任意の相手の情報を既内蔵された電話番号帳から検索する過程と、検索された通話対象者情報又は発信者情報を音声案内した後、通話を連結する過程と、を行うことを特徴とし、これにより上記目的を達成する。
【００１８】
　前記通話対象者情報及び発信者情報は、通話対象者と発信者の名前又は電話番号であることを特徴としてもよい。
【００１９】
　前記ハンズフリー機能を設定する過程は、スピーカホンへの通話路をイヤホンに転換させるための秘密通話機能を設定する過程を更に行うことを特徴としてもよい。
【００２０】
　前記秘密通話機能は、使用者が特定のキー又は音声命令で設定することを特徴としてもよい。
【００２１】
　本発明によるハンズフリー機能を具備した移動通信端末機の制御方法は、移動通信端末機のハンズフリー機能が設定される過程と、通話路をスピーカホンに転換して発信通話のための使用者の音声命令があるかを確認する過程と、使用者の音声命令が入力されると、入力された通話対象者情報を検索して音声を案内する過程と、前記通話対象者の電話番号で通話連結して、相手の音声をスピーカホンを通して出力する過程と、を行うことを特徴とし、これにより上記目的を達成する。
【００２２】
　前記ハンズフリー機能が設定される過程は、スピーカホンへの通話路をイヤホンに転換させるための秘密通話機能を設定する過程を更に行うことを特徴としてもよい。
【００２３】
　前記音声案内する過程は、発信通話に対する音声命令が確認されると、通話対象者情報の音声入力を待機する過程と、前記通話対象者の情報が音声で入力されると、内蔵された電話番号帳を検索する過程と、前記通話対象者の情報が検索されると、その検索結果を音声案内した後、検索結果が正しい情報であるかを確認する過程と、前記検索結果が正しい情報であるという使用者の音声入力があると、該当の電話番号で通話連結を行う過程と、を行うことを特徴としてもよい。
【００２４】
　前記通話対象者情報は、通話対象者の名前であることを特徴としてもよい。
【００２５】
　前記通話対象者の情報が検索されないと、通話対象者の電話番号の入力を要求する過程を更に行うことを特徴としてもよい。
【００２６】
　前記検索結果が正しい情報でないという使用者の音声入力があると、通話対象者情報の音声入力を待機する過程に復帰する過程を更に行うことを特徴としてもよい。
【００２７】
　前記検索結果が正しい情報であるかを確認する過程は、複数の通話対象者が検索されると、該当の情報を順次音声案内して正しい情報を確認することを特徴としてもよい。
【００２８】
　前記検索結果が正しい情報であるかを確認する過程は、複数の通話対象者が検索されると、他の識別情報を要求する過程と、通話対象者の識別情報の音声が入力されると、前記検索結果で該当の識別情報を再び検索する過程と、を行うことを特徴としてもよい。
【００２９】
　前記通話連結を行う過程は、前記正しい情報であると確認された通話対象者の電話番号が複数であるかを確認する過程と、それら複数の電話番号が検索されると、各電話番号を順次音声案内して正しい情報を確認する過程と、該確認された電話番号で通話連結を試みる過程と、を行うことを特徴としてもよい。
【００３０】
　本発明による移動通信端末機の制御方法は、移動通信端末機のハンズフリー機能が設定される過程と、通話路をスピーカホンに転換して任意の相手から通話要請メッセージが受信されるかを確認する過程と、前記通話要請メッセージが受信されると、発信者の情報を検索して音声を案内することで通話許容可否を確認する過程と、通話を許容するための使用者音声命令が入力されると、前記発信者と通話を連結して発信者の音声をスピーカホンに出力する過程と、を行うことを特徴とし、これにより上記目的を達成する。
【００３１】
　前記発信者情報は、電話番号であることを特徴としてもよい。
【００３２】
　前記ハンズフリー機能が設定される過程は、スピーカホンへの通話路をイヤホンに転換させるための秘密通話機能を設定する過程を更に行うことを特徴としてもよい。
【００３３】
　前記通話許容可否を確認する過程は、通話要請メッセージが確認されると、発信者の情報を獲得する過程と、該獲得された発信者情報が内蔵された電話番号帳に登録されているかを検索する過程と、発信者情報が検索されると、その検索結果を音声案内した後、通話許容可否を確認する過程と、前記通話許容に対する音声命令が確認されると通話の連結を行い、通話拒否に対する音声命令が確認されると通話連結を終了する過程と、を行うことを特徴としてもよい。
【００３４】
　前記通話許容可否を確認する過程は、発信者情報が検索されると、発信者の名前を音声で案内して通話許容可否を確認する過程と、前記発信者情報が検索されないと、その発信者の電話番号を音声で案内して通話許容可否を確認する過程と、を行うことを特徴としてもよい。
【発明の効果】
【００３５】
　本発明に係るハンズフリー機能を具備した移動通信端末機及びその制御方法は、使用者の音声で通話対象者と通話の連結をしたり、任意の相手からの呼び出しに対して音声で通話を許容し得ることで、使用者が運転中に任意のキーを押したり、ディスプレイ部を確認するなどの危険な状況が省かれるため、音声のみで通話に関連した動作を制御し得るようになるので、仕事中の使用者の便宜性が極めて増大するという効果がある。
【００３６】
　又、使用者の必要に応じて秘密通話を設定し得るため、私生活の侵害を防止し得るという効果がある。
【発明を実施するための最良の形態】
【００３７】
　以下、本発明の実施の形態に対し、図面に基づいて説明する。
【００３８】
　図１は本発明に係るハンズフリー機能を具備した移動通信端末機の構成を示したブロック図で、図示されたように、本発明に係るハンズフリー機能を具備した移動通信端末機の構成においては、電話番号入力、ハンズフリー機能設定及び通話に関連した命令が入力されるキー入力部１１０と、使用者の音声を入力するためのマイクロホン１４０と、メニュー画面及び通話関連状況をディスプレイするディスプレイ部１３０と、通話相手の音声を出力するスピーカ１５０と、ハンズフリーモードで通話相手の音声を出力するスピーカホン１６０と、通話のための動作を制御する時、前記マイクロホン１４０に入力される使用者音声によって移動通信端末機の動作を制御するマイクロコンピュータ１２０と、を含んで構成されている。
【００３９】
　又、前記マイクロコンピュータ１２０は、無線通信モジュールと、ビデオ処理モジュールと、ディスプレイ駆動モジュールと、オーディオ処理モジュールと、ハンズフリー機能設定時、スピーカ１５０とスピーカホン１６０間の通話路転換、及びスピーカ又はスピーカホン１６０とイヤホン（図示せず）間の通話路を転換するための通話路スイッチングモジュールと、から構成される。
【００４０】
　又、前記マイクロコンピュータ１２０は、任意の相手から呼が受信されると、その相手情報（ＣＩＤ）を獲得して、前記移動通信端末機に内蔵された電話番号帳に登録されているかを検索し、その検索結果を音声で案内する音声お知らせ（Ｖｏｉｃｅ　Ｇｕｉｄｉｎｇ）機能と、使用者が音声で入力する通話対象者情報を認知して前記電話番号帳から検索した後、その検索結果を音声で案内する音声ダイヤルリング（Ｖｏｉｃｅ　Ｄｉａｌｉｎｇ）機能と、通話連結及び通話終了などの通話関連機能を音声命令で認識する音声命令（Ｖｏｉｃｅ　Ｃｏｍｍａｎｄ）機能と、スピーカホンへ設定された通話路を使用者によりイヤホンに転換する秘密通話機能と、を具現し得る。
【００４１】
　図２は本発明に係るスピーカホンの装着位置を示した正面図で、前記スピーカホン１６０は、前記移動通信端末機の後面の上部一方側に内蔵されるが、前記スピーカホンは、前記移動通信端末機が車両内の如何なる位置に装着されても、運転手が通話相手の再生音声を聞き取れるほどの充分な音量再生能力を有すべきである。
【００４２】
　以下、このように構成された本発明に係るハンズフリー機能を具備した移動通信端末機の動作に対し、図３〜図９に基づいて説明する。
【００４３】
　前記移動通信端末機は、使用者がキー入力部１１０により直接通話相手の電話番号を入力した後、通話キーを押して前記通話相手と通話を行い、前記通話相手から呼を受信する時、前記通話キーを押して前記通話相手と通話を行う。このとき、前記使用者は、前記通話相手の音声をスピーカ１５０を通して聞き取り、マイクロホン１４０を通して音声を入力する。
【００４４】
　図３は本発明に係るハンズフリー機能を具備した移動通信端末機の制御方法の秘密通話設定過程を示したフローチャートで、図示されたように、使用者が運転前にキー入力部１１０によりメニュー画面でハンズフリー機能を設定したり、予め設定されたサイドキーのような任意のキーを押してハンズフリー機能を設定する（Ｓ３０１）。このとき、前記マイクロコンピュータ１２０は、スピーカホン１６０、ＮＵＭキー、音声認識／お知らせ（Ｖｏｉｃｅ　Ｒｅｃｏｇｎｉｔｉｏｎ／Ｖｏｉｃｅ　Ｇｕｉｄｉｎｇ）機能、音声命令機能（Ｖｏｉｃｅ　ｃｏｍｍａｎｄ　ｍｏｄｅ）をオンにした後、前記スピーカホン１６０のボリューム、リングトンボリュームを車両内の適切な水準に設定して、前記ディスプレイ部の文字フォントサイズを大きく変更する。
【００４５】
　次いで、ハンズフリー機能が設定された移動通信端末機に秘密通話機能を設定する（Ｓ３０２）。前記秘密通話機能は、前記ハンズフリー機能を設定した後、使用者の必要に応じて、任意の時点で移動通信端末機の外部に設置されたサイドキーのような任意のキーを押して設定する。次いで、前記秘密通話機能が設定されると、スピーカホン１６０に設定（Ｓ３０３）されていた通話路は、イヤホンを利用した通話路に転換される（Ｓ３０４）。
【００４６】
　このとき、前記秘密通話機能は、特定のキー入力により設定されるだけでなく、使用者の音声命令によっても設定又は解除される。又、前記ハンズフリー機能及び秘密通話機能は、順次設定するか、又はそれぞれ独立的に設定する。
【００４７】
　図４〜図６及び図９は本発明のハンズフリー機能が設定された状態で、音声で通話を連結する過程を示したフローチャートであって、図４は本発明の発信通話過程を示したフローチャートで、図５は図４における複数の対象者検索時、音声案内及び電話番号選択過程を示したフローチャートで、図６は図４における複数の電話番号検索時、音声案内及び電話番号選択過程を示したフローチャートで、図９は通話終了過程を示したフローチャートである。
【００４８】
　まず、図示されたように、移動通信端末機にハンズフリー機能が設定（Ｓ４０１）されると、前記マイクロコンピュータ１２０は、前記マイクロホン１４０の出力信号により通話試みに関連した音声が入力されるかを点検する（Ｓ４０２）。
【００４９】
　次いで、前記マイクロホン１４０に通話試みに関連した音声が入力されると、前記マイクロコンピュータ１２０は、音声案内を前記スピーカホン１６０を通して出力する。即ち、使用者が’通話連結’、’通話試み’及び’呼び出し’などの音声を入力すると、前記マイクロコンピュータ１２０は、’ピーの音が発生すると、名前を言ってください’のような音声案内を出力する。
【００５０】
　次いで、前記移動通信端末機の使用者が通話対象者の名前を前記マイクロホン１４０を通して入力すると（Ｓ４０３）、前記マイクロコンピュータ１４０は、内蔵された電話番号帳を検索して（Ｓ４０４）、使用者が音声で入力した前記通話対象者の名前が記されてあるかを確認する（Ｓ４０５）。このとき、前記マイクロコンピュータ１４０は、使用者が音声で入力した通話対象者の名前を前記ディスプレイ部１３０に表示することで、使用者の入力した名前が正確に認識されたかを確認することができる。
【００５１】
　次いで、前記通話対象者の名前が前記電話番号帳から確認されると、前記マイクロコンピュータ１２０は、該当の名前を前記スピーカホン１６０に出力して使用者に音声で案内し（Ｓ４０６）、使用者は前記確認された名前が通話対象者と一致するかを確認する（Ｓ４０７）。
【００５２】
　このとき、前記検索された対象者が使用者の入力した通話対象者でない場合、使用者は
’該当の対象者でない’という音声を前記マイクロホン１４０に入力し、前記マイクロコンピュータ１２０は、前記移動通信端末機を通話対象者の名前を入力するための過程（Ｓ４０３）に復帰させる。
【００５３】
　又、前記検索された対象者が通話を望む対象者であると、使用者は’ＯＫ’又は’対象者である’若しくは’正当な対象者である’というような、検索結果を承認する音声メッセージを前記マイクロホン１４０に入力する。
【００５４】
　次いで、前記検索された通話対象者の登録電話番号が１個の場合、前記マイクロコンピュータ１２０は、直に該当の電話番号に呼を発信して通話連結を進行する（Ｓ４１０）。然し、登録された電話番号が複数の場合、前記マイクロコンピュータ１２０は、前記電話番号を前記スピーカホン１６０により順次音声案内し（Ｓ４０９）、使用者が通話を望む電話番号を選択すると、該選択された電話番号に呼を発信して通話連結を進行する（Ｓ４１０）。
【００５５】
　以下、前記検索された電話番号が複数の場合に対し、図６に基づいて説明する。
【００５６】
　まず、前記通話対象者に対して登録された電話番号が複数であると（Ｓ６０１）、前記マイクロコンピュータ１２０は、’複数の電話番号が検索された’という音声メッセージを前記スピーカホン１６０を通して出力した後、’家庭、事務室、携帯電話のうちどこに電話をかけますか？’という音声メッセージを前記スピーカホン１６０に出力する（Ｓ６０２）。
【００５７】
　次いで、使用者が電話通話を望む場所を選択して前記マイクロホン１４０を通して音声入力をすると、前記マイクロコンピュータ１２０は、該当の電話番号を音声で案内（Ｓ６０３）した後、通話連結を試みる（Ｓ６０４）。このとき、複数の電話番号を家庭、事務室及び携帯電話に区分する場合を説明したが、これに限定されず、より細分化することで、電話番号をより多く登録するように電話番号帳を構成することもできる。
【００５８】
　前記内蔵された電話番号帳から通話対象者が検索されない場合、前記マイクロコンピュータ１２０は、’該当の対象者の名前がない’という音声メッセージを前記スピーカホン１６０に出力し（Ｓ４１１）、’対象者の電話番号を音声で入力しますか？’という音声メッセージを前記スピーカホン１６０に出力する（Ｓ４１２）。
【００５９】
　次いで、使用者が’はい’又は’ＯＫ’のように、通話対象者の電話番号を音声で入力するという確認メッセージを前記マイクロホン１４０を通して入力した後、通話対象者の電話番号を音声で入力（Ｓ４１３）すると、前記マイクロコンピュータ１２０は、その電話番号で電話をかけて通話連結を進行する（Ｓ４１０）。
【００６０】
　然し、使用者が前記’対象者の電話番号を音声で入力しますか？’という音声メッセージに対して’通話終了’、’通話拒否’及び’ＮＯ’のように、通話試みを終了するための音声メッセージを前記マイクロホン１４０を通して入力したり、サイドキー又は終了キーなどの任意のキーを押すと（Ｓ４１４）、前記マイクロコンピュータ１４０は、’通話試みが終了された’のような音声メッセージを前記スピーカホン１６０に出力した後、通話試み過程を終了する（Ｓ４１５）。このとき、使用者が所定時間内に通話終了命令を入力しないと、前記マイクロコンピュータ１２０は、再び通話対象者の名前の入力を受けるための通話待機状態に復帰する。
【００６１】
　以下、使用者が入力した通話対象者の名前を検索する過程（Ｓ４０４）で、前記通話対象者と同様な名前を有する複数の対象者が検索される場合に対し、図５に基づいて説明する。
【００６２】
　まず、使用者が音声で入力した通話対象者と同様な名前を有する対象者が２名以上検索されると（Ｓ５０１、Ｓ５０２）、前記マイクロコンピュータ１２０は、’名前が同様な複数の対象者が検索されました’という音声メッセージを前記スピーカホン１６０に出力し（Ｓ５０３）、検索された各対象者の電話番号を音声で使用者に案内する（Ｓ５０４）。
【００６３】
　次いで、使用者は案内された電話番号が通話対象者の電話番号であるかを確認し（Ｓ５０５）、’ＮＯ’、’通話拒否’及び’通話対象者でない’のような音声メッセージを前記マイクロホン１４０に入力すると、次の対象者の電話番号を音声で案内し（Ｓ５０４）、使用者が’ＯＫ’又は’対象者である’のように、検索結果を承認する音声メッセージを前記マイクロホン１４０に入力すると、前記マイクロコンピュータ１２０は、該当の対象者の電話番号で電話をかけて通話連結を進行する（Ｓ５０６）。
【００６４】
　このとき、通話対象者と同様な名前の複数の対象者が検索される場合、前記検索された対象者の電話番号を順次音声案内しながら検索する動作を説明したが、複数の対象者が検索された時点で、通話対象者の家庭、会社の住所及び会社の名前のような、各対象者を区分し得る識別名を使用者が音声で入力することで、通話対象者を直に確認し、その電話番号で電話をかけて通話連結を行うように構成することもできる。
【００６５】
　このような過程で通話が連結されると、使用者は前記スピーカホン１６０で相手の音声を聞き取り、前記マイクロホン１４０に通話音声を入力して所望の対象者と通話を行った後、通話を終了する。
【００６６】
　図９に示したように、通話相手から通話終了信号が受信される場合（Ｓ９０１）、又は使用者が通話状態で押すと、通話終了と認識するように予め設定したサイドキー又は終了キーを押す場合（Ｓ９０２）、前記マイクロコンピュータ１２０は、使用者から通話終了要請が発生したと判断（Ｓ９０３）し、通話を終了して通話待機状態に復帰する。
【００６７】
　図７及び図８は本発明のハンズフリー機能が設定された状態で通話を受信する過程を示したフローチャートであるが、このとき、図７は本発明の受信通話過程を示したフローチャートで、図８は図７の通話許容及び通話拒否過程を示したフローチャートである。
【００６８】
　まず、移動通信端末機のハンズフリー機能が設定されると（Ｓ７０１）、前記マイクロコンピュータ１２０は、任意の相手（発信者）から通話要請メッセージが受信されるかを監視する（Ｓ７０２）。
【００６９】
　次いで、前記通話要請メッセージを受信すると、前記マイクロコンピュータ１２０は、発信者のＣＩＤ（Ｃａｌｌ　ＩＤｅｎｔｉｆｉｅｒ）及び電話番号を一時保存して内蔵された電話番号帳を検索（Ｓ７０３）し、前記電話番号と一致する電話番号が存在するかを確認する（Ｓ７０４）。このとき、前記マイクロコンピュータ１２０は、通話要請メッセージが受信されたことを使用者に音声で案内した後、電話番号帳を検索するように構成される。
【００７０】
　次いで、前記発信者電話番号が内蔵された電話番号帳に存在すると（Ｓ７０４）、前記マイクロコンピュータは、該当の電話番号の対象者の名前をＴＴＳ（Ｔｅｘｔ　Ｔｏ　Ｓｐｅｅｃｈ）機能により音声案内する（Ｓ７０５）。このとき、前記マイクロコンピュータ１２０は、検索された名前を前記ディスプレイ部１３０にディスプレイすることで、使用者が発信者の名前を正確に認識するように構成される。
【００７１】
　次いで、前記マイクロコンピュータが前記発信者の電話番号を、既内蔵された電話番号帳から検索し得ない場合、受信電話番号を前記スピーカホン１６０を通して音声案内する（Ｓ７０６）。
【００７２】
　次いで、前記発信者の名前又は電話番号を音声で案内した後、前記マイクロコンピュータ１２０は、’通話しますか？’のような音声メッセージを前記スピーカ１６０に出力し、前記マイクロホン１４０を通して受信される使用者の音声を確認して発信者との通話許容可否を決定する（Ｓ７０７）。即ち、使用者が’ＯＫ’、’通話許容’及び’通話連結’などのように、通話許容のための音声を前記マイクロホン１４０に入力すると、前記マイクロコンピュータ１２０は、前記スピーカホン１６０に通話相手の音声を出力し、前記マイクロホン１４０に入力された使用者の音声を無線通信により通話相手に伝送することで、使用者と通話相手との通話を進行する（Ｓ７０９）。
【００７３】
　次いで、使用者と通話相手との通話が終了されると（Ｓ７０９）、前記マイクロコンピュータ１２０は、移動通信端末機を通話要請メッセージを感知するための通話待機状態に転換し、前記スピーカホン１６０を通して通話が終了されたという音声メッセージを出力する（Ｓ７１０）。前記通話終了過程は、図９のフローチャートと同様な過程で行われるため、詳細な説明は省略する。
【００７４】
　次いで、前記発信者の名前又は電話番号を音声で案内する時、使用者が’ＮＯ’、’通話拒否’及び’通話終了’のような音声メッセージを前記マイクロホン１４０に入力すると、前記マイクロコンピュータ１２０は、基地局又は無線スイッチングセンターを通して発信者に通話不可応答メッセージを伝送し、通話待機状態に復帰する（Ｓ７１１）。このとき、使用者は、音声入力の代わりに、サイドキー又は終了キーなどの任意のキーを押して通話拒否を選択し、通話拒否されたことを無音ランプの点滅又は音声メッセージにより使用者に知らせる。
【００７５】
　以下、図７の通話許容又は通話終了のための過程（Ｓ７０７）に対し、図８に基づいて説明する。
【００７６】
　まず、発信者の名前又は発信側の電話番号が音声案内される時（Ｓ７０５、Ｓ７０６）、使用者が通話許容に対する音声メッセージを前記マイクロホン１４０に入力したり（Ｓ８０１）、通話キーのように予め設定された任意のキーを入力すると（Ｓ８０２）、前記マイクロコンピュータは、通話許容と判断する（Ｓ８０３）。然し、使用者が通話終了に関連した音声メッセージを前記マイクロホン１４０に入力（Ｓ８０４）したり、終了キーのように予め設定された任意のキーを入力すると（Ｓ８０５）、前記マイクロコンピュータ１２０は、通話拒否と判断する（Ｓ８０６）。
【００７７】
　以下、本発明の秘密通話における通話連結過程に対して説明する。このとき、前記秘密通話は運転中に便利であるため、図４及び図７のような過程で通話連結を行い、使用者と同乗した搭乗者がある場合、通話相手の音声をイヤホンのみで聞き取れるようにする。
【００７８】
　まず、秘密通話設定状態で任意の対象者と通話をする場合、使用者はキー入力部１１０に具備されたキーボードにより電話番号を入力した後、通話キーを押して通話を連結し、通話が連結された状態で、イヤホンにより通話対象者の音声を聞きながらイヤホンに具備されたマイクロ音声を入力する。
【００７９】
　搭乗者がいても秘密通話が必要でない場合、図３に示したように、使用者は通話対象者の名前又は電話番号をマイクロホン１４０に音声で入力し、前記マイクロコンピュータ１２０は、内蔵された電話番号帳を検索した後、その検索結果を音声で案内する。前記使用者が検索された結果に対する通話承認を前記マイクロホン１４０に音声で入力すると、前記マイクロコンピュータ１２０は、無線通信で通話対象者と通話を連結する。このとき、使用者がスピーカホン１６０又はイヤホンにより通話対象者の音声を聞き取れるように通話路を転換することができる。
【００８０】
　又、秘密通話が設定された状態で任意の相手から呼び出しが発生する場合、図７に示したように、前記マイクロコンピュータ１２０が相手のＣａｌｌ　Ｉｄｅｎｔｉｆｉｅｒ（ＣＩＤ）及び電話番号を一時保存した後、呼び出し受信があることを前記スピーカホン１６０を通して使用者に知らせ、内蔵された電話番号帳を検索して該当の電話番号が存在するかを確認する。又、前記マイクロコンピュータ１２０は、相手の名前又は電話番号をイヤホンにより使用者に音声案内し、使用者が通話許容に対する音声を前記イヤホンに具備されたマイクに入力したり、通話キー又はサイドキーのような任意のキーを押すと、通話許容状態と判断して通話相手の音声をイヤホンにより使用者に出力し、マイクに入力される使用者音声を通話相手に伝送する。
【００８１】
　もし、任意の相手からの呼び出し通話に対し、搭乗者が通話内容を聞いても構わなく、その搭乗者も通話する必要がない場合、使用者が任意のキーを押して設定された秘密通話を解除すると、前記マイクロコンピュータ１２０は、通話路をイヤホンからスピーカホン１６０に転換し、前記マイクロホン１４０に使用者の音声を入力する。即ち、秘密通話と設定された場合も、使用者がサイドキーのような任意のキーを押して秘密通話設定を解除すると、前記マイクロコンピュータ１２０は、前記スピーカホン１６０に通話相手の音声を出力しながら、前記マイクロホン１４０又はイヤホンに具備されたマイクに音声が入力されるようにすることで、搭乗者も使用者と一緒に通話相手と通話を行い得るようにする。
【００８２】
　運転中に呼を発信又は受信する場合、使用者がほとんど手を使用せずに通話が可能なハンズフリー機能を具備した移動通信端末機及びその制御方法を提供しようとする。
【００８３】
　移動通信端末機の動作命令を入力するキー入力手段と、使用者の音声メッセージを入力するためのマイクロホン１４０と、移動通信端末機の動作状態をディスプレイするディスプレイ部１３０と、ハンズフリーモードで通話相手の音声を外部に出力するスピーカホン１６０と、使用者の音声メッセージによって通話対象者の名前又は電話番号を検索して前記スピーカホン１６０を通して音声案内をし、秘密通話の設定時、前記スピーカホン１６０への通話路をイヤホンに転換する制御手段と、を含んでハンズフリー機能を具備した移動通信端末機を構成する。
【００８４】
　以上説明したように、本発明に係るハンズフリー機能を具備した移動通信端末機及びその制御方法は、使用者の音声で通話対象者と通話の連結をしたり、任意の相手からの呼び出しに対して音声で通話を許容し得ることで、使用者が運転中に任意のキーを押したり、ディスプレイ部を確認するなどの危険な状況が省かれるため、音声のみで通話に関連した動作を制御し得るようになるので、仕事中の使用者の便宜性が極めて増大するという効果がある。
【００８５】
　又、使用者の必要に応じて秘密通話を設定し得るため、私生活の侵害を防止し得るという効果がある。
【００８６】
　以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００８７】
【図１】本発明に係る移動通信端末機を示したブロック図である。
【図２】本発明に係るスピーカホンの装着位置を示した正面図である。
【図３】本発明に係る秘密通話設定過程を示したフローチャートである。
【図４】本発明に係る移動通信端末機の発信通話過程を示したフローチャートである。
【図５】図４における複数の対象者検索時の音声案内及び電話番号選択過程を示したフローチャートである。
【図６】図４における複数の電話番号検索時の音声案内及び電話番号選択過程を示したフローチャートである。
【図７】本発明に係る移動通信端末機の受信通話過程を示したフローチャートである。
【図８】図７の通話許容及び拒否過程を示したフローチャートである。
【図９】本発明に係る移動通信端末機の通話終了過程を示したフローチャートである。
【符号の説明】
【００８８】
　１１０：キー入力部
　１２０：マイクロコンピュータ
　１３０：ディスプレイ部
　１４０：マイクロホン
　１５０：スピーカ
　１６０：スピーカホン
【図１】
2004147322.tif 000003
【図２】
2004147322.tif 000004
【図３】
2004147322.tif 000005
【図４】
2004147322.tif 000006
【図５】
2004147322.tif 000007
【図６】
2004147322.tif 000008
【図７】
2004147322.tif 000009
【図８】
2004147322.tif 000010
【図９】
2004147322.tif 000011